(57)【特許請求の範囲】
【請求項１】
被搬送物を載置しその搬送をガイドする載置ガイドと、この載置ガイドに離間対向して設けられ前記被搬送物の浮き上がりを規制する対向ガイドからなり、搬出側に第１の凹凸部を有する第１のガイド手段と、
この第１のガイド手段の第１の凹凸部に噛み合う第２の凹凸部を搬入側に有し、前記第１のガイド手段から搬出される被搬送物を搬入させてガイドする第２のガイド手段と、
前記第１のガイド手段の載置ガイド及び対向ガイドをそれぞれ開閉自在に支持し、前記載置ガイド及び対向ガイドの開放時には、その第１の凹凸部を前記第２の凹凸部に対し交差する方向に移動させる支持手段と、
前記載置ガイドの開放を規制し、前記対向ガイドが開放されたときのみ、前記載置ガイドの開放規制を解除する開放規制手段と、
を備えたことを特徴とする搬送ガイド装置。
【請求項２】
被搬送物を載置しその搬送をガイドする載置ガイドと、この載置ガイドに離間対向して設けられ前記被搬送物の浮き上がりを規制する対向ガイドからなり、搬出側に第１の凹凸部を有する第１のガイド手段と、
この第１のガイド手段の第１の凹凸部に噛み合う第２の凹凸部を搬入側に有し、前記第１のガイド手段から搬出される被搬送物を搬入させてガイドする第２のガイド手段と、
前記第１のガイド手段の載置ガイド及び対向ガイドをそれぞれ開閉自在に支持し、前記載置ガイド及び対向ガイドの開放時には、その第１の凹凸部を前記第２の凹凸部に対し交差する方向に移動させる支持手段と、
前記載置ガイドに設けられた係止部材と、
この係止部材を係脱自在に係止させて固定保持する被係止部と、
前記対向ガイドが開放されたとき、前記係止部材を前記被係止部から離脱させて前記載置ガイドの固定を解除する解除手段と、
を具備することを特徴とする搬送ガイド装置。
【請求項３】
被搬送物を載置しその搬送をガイドする載置ガイドと、この載置ガイドに離間対向して設けられ前記被搬送物の浮き上がりを規制する対向ガイドからなり、搬出側に第１の凹凸部を有する第１のガイド手段と、
この第１のガイド手段の第１の凹凸部に噛み合う第２の凹凸部を搬入側に有し、前記第１のガイド手段から搬出される被搬送物を搬入させてガイドする第２のガイド手段と、
前記第１のガイド手段の載置ガイド及び対向ガイドをそれぞれ開閉自在に支持し、前記載置ガイド及び対向ガイドの開放時には、その第１の凹凸部を前記第２の凹凸部に対し交差する方向に移動させる支持手段と、
前記載置ガイドに回動自在に設けられた係止部材と、
この係止部材を前記対向ガイドが閉塞されたとき係脱自在に係止させて固定保持する被係止部と、
前記対向ガイドが開放されたとき、前記係止部材を付勢力により回動させて前記被係止部から離脱させて前記載置ガイドの固定を解除する付勢部材と、
を具備することを特徴とする搬送ガイド装置。
【請求項４】
被搬送物を載置しその搬送をガイドする載置ガイドと、この載置ガイドに離間対向して設けられ前記被搬送物の浮き上がりを規制する対向ガイドからなり、搬出側に第１の凹凸部を有する第１のガイド手段と、
この第１のガイド手段の第１の凹凸部に噛み合う第２の凹凸部を搬入側に有し、前記第１のガイド手段から搬出される被搬送物を搬入させてガイドする第２のガイド手段と、
前記第１のガイド手段の載置ガイド及び対向ガイドをそれぞれ開閉自在に支持し、前記載置ガイド及び対向ガイドの開放時には、その第１の凹凸部を前記第２の凹凸部に対し交差する方向に移動させる支持手段と、
前記支持手段に設けられ、前記載置ガイドの開放を規制する開放規制手段と、
前記対向ガイドに設けられ、その開放時に前記開放規制手段による前記載置ガイドの開放規制を解除させる解除手段と、
を具備することを特徴とする搬送ガイド装置。
【請求項５】
像担持体上に像を形成する像形成手段と、
この像形成手段により形成された像を被画像形成媒体の一面側に転写する転写手段と、
この転写手段により転写された画像を定着させる定着手段と、
この定着手段から搬出される被画像形成媒体の搬送をガイドする搬送ガイド手段と、
この搬送ガイド手段によりガイドされてきた被画像形成媒体の他面側に像を転写させるべく前記転写手段に向かって被画像形成媒体を反転した状態で搬送する搬送手段とを具備する画像形成装置において、
前記搬送ガイド手段は、
前記被画像形成媒体を載置しその搬送をガイドする載置ガイドと、この載置ガイドに離間対向して設けられ前記被画像形成媒体の浮き上がりを規制する対向ガイドからなり、搬出側に第１の凹凸部を有する第１のガイド手段と、
この第１のガイド手段の第１の凹凸部に噛み合う第２の凹凸部を搬入側に有し、前記第１のガイド手段から搬出される被搬送物を搬入させてガイドする第２のガイド手段と、
前記第１のガイド手段の載置ガイド及び対向ガイドをそれぞれ開閉自在に支持し、前記載置ガイド及び対向ガイドの開放時には、その第１の凹凸部を前記第２の凹凸部に対し交差する方向に移動させる支持手段と、
前記載置ガイドの開放を規制し、前記対向ガイドが開放されたときのみ、前記載置ガイドの開放規制を解除する開放規制手段と、
を備えたことを特徴とする画像形成装置。
【請求項６】
像担持体上に像を形成する像形成手段と、
この像形成手段により形成された像を被画像形成媒体の一面側に転写する転写手段と、
この転写手段により転写された画像を定着させる定着手段と、
この定着手段から搬出される被画像形成媒体の搬送をガイドする搬送ガイド手段と、
この搬送ガイド手段によりガイドされてきた被画像形成媒体の他面側に像を転写させるべく前記転写手段に向かって被画像形成媒体を反転した状態で搬送する搬送手段とを具備する画像形成装置において、
前記搬送ガイド手段は、
前記被画像形成媒体を載置しその搬送をガイドする載置ガイドと、この載置ガイドに離間対向して設けられ前記被画像形成媒体の浮き上がりを規制する対向ガイドからなり、搬出側に第１の凹凸部を有する第１のガイド手段と、
この第１のガイド手段の第１の凹凸部に噛み合う第２の凹凸部を搬入側に有し、前記第１のガイド手段から搬出される被搬送物を搬入させてガイドする第２のガイド手段と、
前記第１のガイド手段の載置ガイド及び対向ガイドをそれぞれ開閉自在に支持し、前記載置ガイド及び対向ガイドの開放時には、その第１の凹凸部を前記第２の凹凸部に対し交差する方向に移動させる支持手段と、
前記載置ガイドに設けられた係止部材と、
この係止部材を係脱自在に係止させて固定保持する被係止部と、
前記対向ガイドが開放されたとき、前記係止部材を前記被係止部から離脱させて前記載置ガイドの固定を解除する解除手段と、
を具備することを特徴とする画像形成装置。
【請求項７】
像担持体上に像を形成する像形成手段と、
この像形成手段により形成された像を被画像形成媒体の一面側に転写する転写手段と、
この転写手段により転写された画像を定着させる定着手段と、
この定着手段から搬出される被画像形成媒体の搬送をガイドする搬送ガイド手段と、
この搬送ガイド手段によりガイドされてきた被画像形成媒体の他面側に像を転写させるべく前記転写手段に向かって被画像形成媒体を反転した状態で搬送する搬送手段とを具備する画像形成装置において、
前記搬送ガイド手段は、
前記被画像形成媒体を載置しその搬送をガイドする載置ガイドと、この載置ガイドに離間対向して設けられ前記被画像形成媒体の浮き上がりを規制する対向ガイドからなり、搬出側に第１の凹凸部を有する第１のガイド手段と、
この第１のガイド手段の第１の凹凸部に噛み合う第２の凹凸部を搬入側に有し、前記第１のガイド手段から搬出される被搬送物を搬入させてガイドする第２のガイド手段と、
前記第１のガイド手段の載置ガイド及び対向ガイドをそれぞれ開閉自在に支持し、前記載置ガイド及び対向ガイドの開放時には、その第１の凹凸部を前記第２の凹凸部に対し交差する方向に移動させる支持手段と、
前記載置ガイドに回動自在に設けられた係止部材と、
この係止部材を前記対向ガイドが閉塞されたとき係脱自在に係止させて固定保持する被係止部と、
前記対向ガイドが開放されたとき、前記係止部材を付勢力により回動させて前記被係止部から離脱させて前記載置ガイドの固定を解除する付勢部材と、
を具備することを特徴とする画像形成装置。
【請求項８】
像担持体上に像を形成する像形成手段と、
この像形成手段により形成された像を被画像形成媒体の一面側に転写する転写手段と、
この転写手段により転写された画像を定着させる定着手段と、
この定着手段から搬出される被画像形成媒体の搬送をガイドする搬送ガイド手段と、
この搬送ガイド手段によりガイドされてきた被画像形成媒体の他面側に像を転写させるべく前記転写手段に向かって被画像形成媒体を反転した状態で搬送する搬送手段とを具備する画像形成装置において、
前記搬送ガイド手段は、
前記被画像形成媒体を載置しその搬送をガイドする載置ガイドと、この載置ガイドに離間対向して設けられ前記被画像形成媒体の浮き上がりを規制する対向ガイドからなり、搬出側に第１の凹凸部を有する第１のガイド手段と、
この第１のガイド手段の第１の凹凸部に噛み合う第２の凹凸部を搬入側に有し、前記第１のガイド手段から搬出される被搬送物を搬入させてガイドする第２のガイド手段と、
前記第１のガイド手段の載置ガイド及び対向ガイドをそれぞれ開閉自在に支持し、前記載置ガイド及び対向ガイドの開放時には、その第１の凹凸部を前記第２の凹凸部に対し交差する方向に移動させる支持手段と、
前記支持手段に設けられ、前記載置ガイドの開放を規制する開放規制手段と、
前記対向ガイドに設けられ、その開放時に前記開放規制手段による前記載置ガイドの開放規制を解除させる解除手段と、
を具備することを特徴とする画像形成装置。
【発明の詳細な説明】
【０００１】
【発明の属する技術分野】
本発明は、たとえば、電子写真複写機の自動両面装置に適用される搬送ガイド装置及び画像形成装置に関する。
【０００２】
【従来の技術】
電子写真複写機の自動両面装置は定着器から送り出されてくる片面に画像が定着された用紙を切換ゲートを介して両面用搬送路に送り込むようになっている。
両面用搬送路は用紙を載置してガイドする載置ガイド及びこの載置ガイドの上部側に離間対向して設けられ用紙の浮き上がりを規制する対向ガイドからなる第１のガイド手段と、この第１のガイド手段から搬出される用紙を受取り、スタック部にガイドするＵターンガイド（第２のガイド手段）を有している。
【０００３】
また、第１のガイド手段の搬出側とＵターンガイドの搬入側とは段差のない滑らかな紙搬送経路を形成するため、また、万が一紙づまりが発生した場合、容易に除去できるように回動可能とするために入れ子状態で接続されている。
【０００４】
【発明が解決しようとする課題】
しかしながら、従来においては、第１のガイド手段の載置ガイドと対向ガイドを同時に回動させることができる構成となっていたため、第１のガイド手段と第２のガイド手段との間で用紙が詰まったとき、載置ガイドと対向ガイドを同時に開放させてしまうことがある。この場合には、載置ガイドとＵターンガイドとの入り子状態をなす噛み合い部に用紙が入り込んでコルゲーションが発生し、載置ガイドを破損させてしまうという虞があった。
【０００５】
本発明は上記実情に鑑みなされたもので、対向ガイドを閉じた状態での載置ガイドの開放を規制することにより、載置ガイド上に被搬送物（被画像形成媒体）を載置したまま開放してしまうことを防止し、被搬送物（被画像形成媒体）に対しコルゲーションを発生させることのないようにした搬送ガイド装置及び画像形成装置を提供することを目的とする。
【０００６】
【課題を解決するための手段】
本発明は上記課題を解決するため、請求項１記載のものは、被搬送物を載置しその搬送をガイドする載置ガイドと、この載置ガイドに離間対向して設けられ前記被搬送物の浮き上がりを規制する対向ガイドからなり、搬出側に第１の凹凸部を有する第１のガイド手段と、この第１のガイド手段の第１の凹凸部に噛み合う第２の凹凸部を搬入側に有し、前記第１のガイド手段から搬出される被搬送物を搬入させてガイドする第２のガイド手段と、前記第１のガイド手段の載置ガイド及び対向ガイドをそれぞれ開閉自在に支持し、前記載置ガイド及び対向ガイドの開放時には、その第１の凹凸部を前記第２の凹凸部に対し交差する方向に移動させる支持手段と、前記載置ガイドの開放を規制し、前記対向ガイドが開放されたときのみ、前記載置ガイドの開放規制を解除する開放規制手段とを備える。
【０００７】
請求項２記載のものは、被搬送物を載置しその搬送をガイドする載置ガイドと、この載置ガイドに離間対向して設けられ前記被搬送物の浮き上がりを規制する対向ガイドからなり、搬出側に第１の凹凸部を有する第１のガイド手段と、
この第１のガイド手段の第１の凹凸部に噛み合う第２の凹凸部を搬入側に有し、前記第１のガイド手段から搬出される被搬送物を搬入させてガイドする第２のガイド手段と、前記第１のガイド手段の載置ガイド及び対向ガイドをそれぞれ開閉自在に支持し、前記載置ガイド及び対向ガイドの開放時には、その第１の凹凸部を前記第２の凹凸部に対し交差する方向に移動させる支持手段と、前記載置ガイドに設けられた係止部材と、この係止部材を係脱自在に係止させて固定保持する被係止部と、前記対向ガイドが開放されたとき、前記係止部材を前記被係止部から離脱させて前記載置ガイドの固定を解除する解除手段とを具備する。
【０００８】
請求項３記載のものは、被搬送物を載置しその搬送をガイドする載置ガイドと、この載置ガイドに離間対向して設けられ前記被搬送物の浮き上がりを規制する対向ガイドからなり、搬出側に第１の凹凸部を有する第１のガイド手段と、この第１のガイド手段の第１の凹凸部に噛み合う第２の凹凸部を搬入側に有し、前記第１のガイド手段から搬出される被搬送物を搬入させてガイドする第２のガイド手段と、前記第１のガイド手段の載置ガイド及び対向ガイドをそれぞれ開閉自在に支持し、前記載置ガイド及び対向ガイドの開放時には、その第１の凹凸部を前記第２の凹凸部に対し交差する方向に移動させる支持手段と、前記載置ガイドに回動自在に設けられた係止部材と、この係止部材を前記対向ガイドが閉塞されたとき係脱自在に係止させて固定保持する被係止部と、前記対向ガイドが開放されたとき、前記係止部材を付勢力により回動させて前記被係止部から離脱させて前記載置ガイドの固定を解除する付勢部材とを具備する。
【０００９】
請求項４記載のものは、被搬送物を載置しその搬送をガイドする載置ガイドと、この載置ガイドに離間対向して設けられ前記被搬送物の浮き上がりを規制する対向ガイドからなり、搬出側に第１の凹凸部を有する第１のガイド手段と、この第１のガイド手段の第１の凹凸部に噛み合う第２の凹凸部を搬入側に有し、前記第１のガイド手段から搬出される被搬送物を搬入させてガイドする第２のガイド手段と、前記第１のガイド手段の載置ガイド及び対向ガイドをそれぞれ開閉自在に支持し、前記載置ガイド及び対向ガイドの開放時には、その第１の凹凸部を前記第２の凹凸部に対し交差する方向に移動させる支持手段と、前記支持手段に設けられ、前記載置ガイドの開放を規制する開放規制手段と、前記対向ガイドに設けられ、その開放時に前記開放規制手段による前記載置ガイドの開放規制を解除させる解除手段とを具備する。
【００１０】
請求項５記載のものは、像担持体上に像を形成する像形成手段と、この像形成手段により形成された像を被画像形成媒体の一面側に転写する転写手段と、この転写手段により転写された画像を定着させる定着手段と、この定着手段から搬出される被画像形成媒体の搬送をガイドする搬送ガイド手段と、この搬送ガイド手段によりガイドされてきた被画像形成媒体の他面側に像を転写させるべく前記転写手段に向かって被画像形成媒体を反転した状態で搬送する搬送手段とを具備する画像形成装置において、前記搬送ガイド手段は、前記被画像形成媒体を載置しその搬送をガイドする載置ガイドと、この載置ガイドに離間対向して設けられ前記被画像形成媒体の浮き上がりを規制する対向ガイドからなり、搬出側に第１の凹凸部を有する第１のガイド手段と、この第１のガイド手段の第１の凹凸部に噛み合う第２の凹凸部を搬入側に有し、前記第１のガイド手段から搬出される被搬送物を搬入させてガイドする第２のガイド手段と、前記第１のガイド手段の載置ガイド及び対向ガイドをそれぞれ開閉自在に支持し、前記載置ガイド及び対向ガイドの開放時には、その第１の凹凸部を前記第２の凹凸部に対し交差する方向に移動させる支持手段と、前記載置ガイドの開放を規制し、前記対向ガイドが開放されたときのみ、前記載置ガイドの開放規制を解除する開放規制手段とを備える。
【００１１】
本発明は載置ガイドの開放を規制し、対向ガイドが開放されたときのみ、載置ガイドの開放規制を解除することにより、対向ガイドを閉じた状態での載置ガイドの開放を規制する。
【００１２】
これにより、載置ガイド上に被搬送物（被画像形成媒体）を載置したまま開放することを防止し、被搬送物（被画像形成媒体）に対しコルゲーションを発生させることなく、除去できるようにする。
【００１３】
【発明の実施の形態】
以下、本発明を図面に示す一実施の形態を参照して説明する。
図１は電子写真複写機の内部構成を示すものである。
図中１は装置本体で、この装置本体１の上面部には原稿を載置する原稿台２が設けられている。この原稿台２の下方部には、原稿台２に載置された原稿を照明する照明ランプ３、この照明ランプ３から発生される照明光を原稿に集光する反射板４、及び、原稿からの反射光を後述する第２キャリッジ７に向かって反射させる光走査手段としての第１キャリッジ５が配置されている。
【００１４】
第１キャリッジ５には、原稿からの反射光を折曲げる第１ミラー６が組み込まれている。第１キャリッジ５は、原稿台２と平行に移動可能に配置され、図示しない歯付きベルトなどを介して図示しないパルスモータによって、原稿台２に沿って平行に移動される。
【００１５】
第２キャリッジ６には、第１キャリッジ５の第１ミラー６を介して折曲げられた原稿からの反射光を順に折曲げる第２ミラー９及び第３ミラー１０が互いに直角に配置されている。第２キャリッジ７は、第１キャリッジ５を駆動する図示しない歯付きベルトなどよって、第１キャリッジ５に対して従動されるとともに、第１キャリッジ５に対し、１／２の速度で原稿台２に沿って平行に移動される。
【００１６】
第１キャリッジ５の下方であって、第２キャリッジ７を介して折返された光の光軸を含む面内には、図示しない駆動機構を介して移動可能に形成され、第２キャリッジ７からの反射光に集束性を与えるとともに、自身が移動することで反射光を所望の倍率で結像させる結像レンズ１１、及び、結像レンズ１１を透過した反射光を後述する感光体ドラム１６に導く第４乃至第６のミラー１２〜１４を有している。
【００１７】
第６のミラー１４の斜め下方部には、感光体１６が回転自在に設けられている。感光ドラム１６の周囲には、その回転方向に沿って感光体１６に所定の電荷を帯電させる帯電装置１７、トリミング、マスキング、枠消し等に利用される消去用のＬＥＤ（発光素子）１８、感光体１６に形成された静電潜像にトナーを供給することで現像する現像装置１８、後述する用紙カセットなどから給送される紙葉類としての被転写材、即ち用紙に感光体１６上のトナー像を転写させる転写装置１９、感光体１６から用紙を剥離させる剥離装置２０、感光体１６における電荷の分布を除去する一方で感光体１６の帯電特性を初期状態に戻すとともに残存トナーをかき落とすクリーニング装置２２が順に配置されている。
【００１８】
装置本体１の内底部には、感光体１６に向かって用紙、例えば、複写用紙、ＯＨＰシート等を供給するための内蔵式用紙カセット２４が挿入され、また、感光体１６の回転方向上流に対応する位置であって感光体１６の右方には、さまざまな大きさを有する用紙Ｐを一枚づつ給送するための給送トレイ２５が配置されている。
【００１９】
感光体１６と用紙カセット２４との間には、カセット２４から用紙を１枚ずつ引出す給紙ローラ２６、給送トレイ２５から供給される用紙を給送する給紙ローラ２７、給紙ローラ２６を介して引出された用紙を感光体１６へ向かって給送するための上下部の搬送ローラ対２８，２９、上記搬送ローラ対２９あるいは給紙ローラ２７から感光体１６へ向かって用紙を給送するための給送路３０、及び、用紙の傾きを補正するとともに、感光体１６上のトナー像の先端と用紙の先端とを整合させ、感光体１６における外周面の移動速度と同じ速度で用紙を給送する一対のレジストローラ３１が配置されている。
【００２０】
また、感光体１６における回転方向下流に対応する位置には、感光体１６上に形成されたトナー像が転写され、トナーが静電的に付着している状態の用紙を搬送する搬送装置３３、用紙に転写されたトナーを加熱することで溶融させ、用紙に定着させる定着装置３４、及び、トナー像が定着された用紙を装置の外部へ排出させる第１および第２の排出ローラ対３６，３７を有している。第２の排出ローラ対３７のさらに左方には、第２の排出ローラ対３７から排出されるトナー像が定着された用紙をストックする排出トレイ３８が配置されている。
【００２１】
また、給紙カセット２４の上部側には自動両面装置４１が設けられている。
自動両面機構４１は用紙の搬送方向を切替える切換えゲート４２、切換えゲート４２を介して送られてくる用紙を垂直方向にガイドする垂直ガイド４３、用紙を水平方向にガイドする第１のガイド手段としての水平ガイド４４、第２のガイド手段としてのＵターンガイド４５、さらに、垂直ガイド４３および水平ガイド４４に配設される搬送ローラ４３ａ，４４ａ…を有している。
【００２２】
また、水平ガイド４４の下方部には用紙を集積するスタック部４６が設けられている。スタック部４６には用紙をスタック部４６にスタックするとともに、スタック部４６から用紙を送り出す給紙／スタックローラ４７、およびスタック部４６から用紙を取り出すピックアップローラ４８、さらに、用紙を載置するトレイ５０が配設されている。給紙／スタックローラ４７の下部には送り出される用紙を一枚ずつ分離する分離ローラ４９が転接されている。
【００２３】
両面画像形成時には、切換ゲート４２が上方へ回動され、一面側に画像が定着されて定着器３４から排出される用紙が切換ゲート４２により、自動両面装置４１内に導かれる。この用紙は垂直ガイド４３、水平ガイド４４、Ｕターンガイド４５を介して、給紙／スタックローラ４７に送られ、この給紙／スタックローラ４７からトレイ５０上に送り込まれ、スタックされる。このスタック時には、トレイ５０は矢印ｂ側に降りている。スタック部４６にスタックされた用紙は再給紙される。このとき、トレイ５０は矢印ｃ方向に上昇しピックアップローラ４８に当接する。ピックアップローラ４８の回転により用紙は取り出され、この用紙は、給紙／スタックローラ４７により送り出される。この用紙は反転された状態で搬送ローラ対２９、給送路３０、及びレジストローラ３１を介して感光体１６と転写チャージャー１９との間の画像転写部に送られて他面側に画像が転写される。他面側に画像が転写された用紙は搬送ベルト３３を介して定着器３４へ送られ、ここで画像が定着されたのち、搬送ローラ対３６、切換ゲート４２を介して搬送ローラ３７へ送られ、排紙トレイ３８に排出される。
【００２４】
図２は第１のガイド手段としての水平ガイド４４を示す斜視図である。
水平ガイド４４は用紙を載置して搬送をガイドする載置ガイドとしての下部ガイド板５２と、この下部ガイド板５２に離間対向して配設され、用紙の浮き上がりを規制する対向ガイドとしての上部ガイド板５１とを有している。
【００２５】
上部および下部のガイド板５１，５２の用紙搬出側には図３にも示すように、第１の凹凸部５１ａ，５２ａが形成され、第２のガイド手段としてのＵターンガイド４５の用紙搬入部側には第２の凹凸部４５ａが形成されている。上部および下部のガイド板５１，５２の凹凸部５１ａ，５２ａとＵターンガイド４５の凹凸部５１ａ，５２ａは互いに入れ子状に嵌め込まれるようになっている。
【００２６】
上部および下部のガイド板５１，５２の用紙搬出側は支持手段としての回動レバー５５ａ，５５ｂを介して装置本体１に回動自在に取り付けられている。
また、下部ガイド板５２の開放端側の一側部には規制手段を構成する係止部材としてロックレバー５６が支軸５６Ａを介して回動自在に取り付けられている。装置本体フレーム１Ａにはロックレバー５６の下部に形成されたフック部５６ａを係脱自在に係止させる被係止部としての引掛部５７が切起成型されている。ロックレバー５６は付勢部材としてのスプリング５８により、そのフック部５６ａが引掛部５７から離脱する方向に付勢されている。
【００２７】
一方、上部ガイド板５１の開放端側の一側部には押圧用突起５９が突出成型され、上部ガイド板５１が閉じられたときは、ロックレバー５６の上面部を押圧するようになっている。この押圧により、ロックレバー５６はスプリング５８の付勢力に抗して支軸５６Ａを中心に回動し、そのフック部５６ａを引掛部５７に係止して下部ガイド板５２をロックするようになっている。
【００２８】
図４は上下部のガイド板５１，５２とＵターンガイド４５との間で用紙Ｐが詰まった状態を示す。
次に、この詰まった用紙Ｐを除去する場合について説明する。
【００２９】
この場合には、まず、図２に示すように、上部ガイド体５１を上方へ開放し、詰まっている用紙Ｐを取り除く。
このとき、上部ガイド板５１を開放しないで、下部ガイド板５２を開放しようとしても、下部ガイド板５２のロックレバー５６のフック部５６ａが本体フレーム１Ａの引掛部５７に係止して下部ガイド板５２がロックされているため、下部ガイド板５２を開放させることはできない。
【００３０】
したがって、用紙の除去時に、図５に示すように、上下部のガイド板５１，５２を同時に回動させて開放してしまうことがなく、従来のように、上下部のガイド板５１，５２とＵターンガイド４５が交差する第１及び第２の凹凸部５１ａ，５２ａ，４５ａに用紙Ｐが入り込んでしまうことがない。
【００３１】
よって、用紙Ｐにコルゲーションが発生することがなく、用紙Ｐの腰により、下部ガイド板５２を変形させてしまう虞がない。
なお、上部ガイド板５１を開放したのちは、下部ガイド板５２のロックレバー５６がスプリング５８の付勢力により回動し、そのフック部５６ａが引掛部５７から離脱する。これにより、下部ガイド板５２のロックが解除され、下部ガイド５２の開放が可能になる。
【００３２】
詰まった用紙Ｐを除去したのちは、上部ガイド板５１を再び閉じる。上部ガイド板５１を閉じると、その押圧片５９により、下部ガイド板５２のロックレバー５６の上面部が押圧される。この押圧により、スプリング５８の付勢力に抗してロックレバー５６が回動されそのフック部５６ａが引掛部５７に係止して下部ガイド５２がロックされる。
【００３３】
図６及び図７は本発明の第２の実施の形態である搬送ガイド装置を示す。
この実施の形態における上下部のガイド板５１，５２は自動両面装置のフロントフレーム６１とリアフレーム（図示しない）にカシメられたスタッド６２により支持されている。フロント、リアのスタッド６２の少なくとも一方はスプリングクラッチ６３のアーバーとなっている。下部ガイド板５２側の支点にもスプリングクラッチ６３のアーバー６４がカシメられている。
【００３４】
フレーム６１に固定されたアーバー６２と下部ガイド板５２にカシメられたアーバー６４には開放規制手段としてのスプリングクラッチ６３が介在されている。スプリングクラッチ６３の腕の一方は図７に示すようにフレーム６１にカシメられたアーバー６２の溝６２ａに嵌められ、もう一方の腕はクラッチカバー６６の溝６６ａに嵌められている。
【００３５】
スプリングクラッチ６３は図６の場合、右巻のため、下部ガイド板５２を矢印Ｆ方向に回動させようとすると、スプリングクラッチ６３が締まる方向に働き、下部ガイド板５２の動きは止められ、回動できない。
【００３６】
下部ガイド板５２のアーバ６４の近傍には突起部６５が突設され、下部ガイド板５２の突起部６５の近傍には解除レバー６８が設けられている。解除レバー６８は回転軸６８ａを中心に回動するようになっている。クラッチカバー６６の周面部には解除レバー６８によって押圧操作される突起部６６ａが突設されている。
【００３７】
下部ガイド板５２を回動させるには、上部ガイド板５１を開き、上部ガイド板５１に付いている突起部６５を回転軸６６を持った解除レバー６８の上端部に当接させて解除レバー６８の下端部でクラッチカバー６６の突起部６６ａを押す。
【００３８】
これにより、スプリングクラッチ６３の締まりが解除され、下部ガイド板５２の回動が可能となる。
この実施の形態によっても、ユーザは上部ガイド上５１を開けた時点で紙づまりの用紙を取り除くことができ、下部ガイド板５２を変形させることは無くなる。
【００３９】
【発明の効果】
本発明は以上説明したように、第１のガイド手段の載置ガイドの開放を規制し、載置ガイドに対向する対向ガイドを開放したときのみ、載置ガイドの開放を可能とするから、載置ガイドと対向ガイドを同時に開放してしまうことがない。
【００４０】
したがって、載置ガイド上に搬送物（被画像形成媒体）を載置したたまま載置ガイドを開放することがない。
よって、入れ子状に嵌合する第１及び第２のガイド手段の第１および第２の凹凸部間に被搬送物（被画像形成媒体）を入り込ませてコルゲーションを発生させる虞がなく、載置ガイドの変形を確実に防止できるという効果を奏する。
【図面の簡単な説明】
【図１】本発明の一実施の形態である電子写真複写機の内部構成を示す図。
【図２】第１及び第２のガイド手段を示す斜視図。
【図３】第１のガイド手段を示す斜視図。
【図４】第１及び第２のガイド手段間で用紙が詰まった状態を示す図。
【図５】用紙を載置した状態で下部ガイド板を回動させた状態を示す図。
【図６】本発明の他の実施の形態である搬送ガイド装置を示す分解斜視図。
【図７】アーバとスプリングクラッチとの接続状態を示す斜視図。
【符号の説明】
１…装置本体
１６…感光体（像担持体）
１９…転写装置（転写手段）
３０…給送路（搬送手段）
３４…定着装置（定着手段）
４４…水平ガイド（第１のガイド手段）
４５…Ｕターンガイド（第２のガイド手段）
５１…上部ガイド板（対向ガイド）
５２…下部ガイド板（載置ガイド）
５６…ロックレバー（係止部材／開放規制手段）
５７…引掛部（被係止部材／開放規制手段）
５８…コイルスプリング（付勢部材／解除手段）
６３…スプリングクラッチ（開放規制手段）
６５…突起部（解除手段）
６６…クラッチカバー
６８…解除レバー（解除手段）
【図１】
0003776208.tif 000002
【図２】
0003776208.tif 000003
【図３】
0003776208.tif 000004
【図４】
0003776208.tif 000005
【図５】
0003776208.tif 000006
【図６】
0003776208.tif 000007
【図７】
0003776208.tif 000008